【事件の表示】
　上記当事者間の登録第５６６７４８３号商標の登録取消審判事件について，次のとおり審決する。
【結　論】
　登録第５６６７４８３号商標の商標登録を取り消す。
　審判費用は，被請求人の負担とする。
【理　由】
第１　本件商標
　本件登録第５６６７４８３号商標（以下「本件商標」という。）は，「ポンタ」の片仮名を標準文字で表してなり，平成２５年８月２１日に登録出願，第２１類「食器類（貴金属製のものを除く。），胡椒入れ，砂糖入れ，塩ふりだし容器，たまご立て，盆，ようじ入れ，すり鉢，板製札，金魚鉢，水槽，ろうそく立て，ろうそく消し，茶道用茶碗，茶道用茶入れ，茶道用棗，茶道用水差し，茶道用蓋置，茶道用建水，香合」を指定商品として，同２６年５月９日に設定登録されたものである。
　本件審判の請求の登録（予告登録）は，平成２９年６月１２日になされている。
第２　請求人の主張の要点
　請求人は，結論同旨の審決を求め，その理由を以下のように述べ，証拠方法として甲１〜３を提出した。
１　請求の理由
　本件商標は，その指定商品について，継続して３年以上日本国内において商標権者，専用使用権者又は通常使用権者のいずれも使用した事実が存しないから，その登録は商標法５０条１項の規定により取り消されるべきものである。
２　答弁に対する弁駁
（１）乙４，５に記載された「ポンタ」は，いずれも著作者名（本件商標権者の陶芸家としての名称）を表示するにすぎないから，商標の使用を証明するものではない。
（２）乙４には，実際の購入希望者とのやり取りが記載されているものの，「ご注文品を探したのですが，既に手元には無いようです。同じ織部で別なものでしたらお送りできるのですが」と記載されているように，「ポンタ織部グイ呑み」は既に手元にない状態であり，また，乙５に関しても，現在の「ポンタ織部グイ呑み」に係るインターネット販売サイト「ｍｉｎｎｅ」を見てみると，確かに，価格が８８０円で販売されているものの，その送料は「１０，０００円」と極めて高価であり，また，配送エリアも通常の記載ではない「地球」となっている（甲３）ことから，実際には販売する気がないことは明らかである。
　したがって，本件商標権者は，事業として「ポンタ織部グイ呑み」を販売しているとは到底いえず，そうである以上，「ポンタ織部グイ呑み」は商品ともいえないから，商標法２条１項１号に規定する「業として商品を生産し，証明し，又は譲渡する者がその商品について使用するもの」には該当しない。のみならず，「ポンタ織部グイ呑み」が商品ではない以上，そもそも，その商品の広告，価格表及び取引書類といった概念を観念することはできないから，これらの使用（乙４，５）は，商標法２条３項８号に規定する「商品若しくは役務に関する広告，価格表若しくは取引書類・・・又はこれらを内容とする情報」には該当しない。
（３）結論
　以上のとおりであるから，本件商標は，３年以上使用されておらず，取り消されるべきである。
３　本件審判の審理について
　請求人は，平成２９年１２月２５日付けの上申書により，被請求人が希望する書面審理に同意する旨述べた。
第３　被請求人の答弁の要点
　被請求人は，本件審判請求は成り立たない，審判費用は請求人の負担とする，との審決を求めると答弁し，その理由を以下のように述べ，証拠方法として乙１〜５を提出した。
１　答弁の理由
（１）本件商標の使用について
　ア　本件商標権者は，本件審判の請求の登録前３年以内（以下「本件要証期間内」という。）である平成２８年１月１３日頃に，インターネット販売サイト「ｉｉｃｈｉ」において，商品「ぐい呑み」（茶碗）に関する販売広告を内容とする情報に標章「ポンタ」を付して電磁的方法により提供した（乙４）。
　イ　乙５は，インターネット販売サイト「ｍｉｎｎｅ」の記事である。当該記事には，「ポンタさんの作品がお気に入りに登録されました！」ほか，２０１７年（平成２９年）５月６日に「ソラマメさんがあなたの作品をお気に入りに登録しました。」と表示があり，購入の検討が推測される。
　ウ　商品「ぐい呑み」は，本件審判の請求に係る指定商品中の「食器類，茶道用茶碗」に相当する。
（２）結論
　上記（１）によれば，本件商標は，取り消されるべきものではないことは明白である。
２　本件審判の審理について
　被請求人は，平成２９年１２月９日付けの上申書により，答弁書において主張立証を尽くしたため，書面審理を希望する旨述べた。
第４　当審の判断
１　証拠及び当事者の主張によれば，以下のとおりである。
（１）乙１〜３について
　ア　乙１は「Ｙａｈｏｏ！ブログ記事」とのことであるが，当該掲載内容は，いずれも本件要証期間内のものではないこと，また，その内容も「この日はポンタ器の窯出しなのでした・。・。」（２０１７／７／６付け記事），「ポンタの新たな車で行くことに。，。，」（２０１７／７／２付け記事），「なかむらさんの頭の右側辺りの／白いの／ポンタが本焼きをお願いしたものなのでした・，。／どう上がるのか？？／制作過程がテキトウなので／ポンタ自身想像がつかないところも？！／……／約１年半あまり手元に／素焼きの器がじっとしたままだったのですが・・。／諸事情も許し／やっと手を付けてみる気になったのです。。」（２０１７／６／２７付け記事）及び「ｐｏｎｔａ器　２０１７’梅雨〜」のタイトルと器の写真（２０１７／７／１０付け記事）などであって，ブログ記事の投稿者名として「ポンタ」の語が理解されるにすぎないものや，ポンタ器なるものも販売を目的とした商品なのか，単に個人の製作物を見せるためだけに掲載したものなのか定かではない。
　イ　乙２は「Ｔｗｉｔｔｅｒ」とのことであるが，その掲載内容は，本件商標の指定商品とは何ら関係のないものである。
　ウ　乙３は本件商標権者が「配布している名刺」とのことであるが，当該名刺は，本件商標権者が「ポンタ」との雅号にて製陶（陶磁器を作ること）を行っていることを表した名刺であるとは理解できるものの，自ら製陶を業としているのか，単に個人の趣味範囲でそれを行っているにすぎないのか定かではなく，また，当該名刺の記載内容からだけでは製陶に係る具体的な製作物（例えば，本件商標の指定商品中のいずれの商品であるか）も把握できない。したがって，仮に，本件商標権者が本件要証期間内に日本国内において，当該名刺を不特定多数の者に配布したとしても，それをもって本件商標の使用行為があったと認めることはできない。
　エ　したがって，乙１〜３をもっては，日本国内において，本件商標権者（ないしは専用使用権者又は通常使用権者）が，本件商標をその指定商品中のいずれかの商品について，商標法２条３項各号所定の使用行為を行ったものとは認めることができない。
（２）乙４について
　ア　本件商標権者は，遅くとも，本件要証期間内である平成２８年１月１３日には，インターネット販売サイト「ｉｉｃｈｉ」において，自己が製作した作品である「ぐい呑み」の写真を掲載するとともに，その作品名を「ポンタ織部グイ呑み」，数量を「１」及び価格を「￥１，２８０」と記載していたことから，当該商品「ぐい呑み」（茶碗）（以下「本件商品１」という。）に関する販売広告を内容とする情報に標章「ポンタ」を付して電磁的方法により提供していたこと，また，本件商品１の注文を１件受けていたことが認められる（乙４）。
　イ　しかしながら，証拠（乙４）によれば，本件商標権者は，本件商品１の注文者（買い手）に対し，本件商品１が既に手元にはなかったことから，注文当日（平成２８年１月１３日）に，同じ織部焼で別の作品（商品）を写真付きで代替提案しており，また，その翌日に，当該注文者から，写真とは別の変形していない形状のものや，新たに作成できないかとの注文（希望）を受けていたにもかかわらず，それに対する回答を何らしておらず，本件商標権者は，そもそも本件商品１の製作販売を「業として」行っていたのか疑義があるから，そうである以上，本件商品１は商標法上の商品とは認めることができない。
　ウ　したがって，たとえ，本件商品１に関する販売広告を内容とする情報に標章「ポンタ」を付して電磁的方法により提供していたとしても，当該行為は商標法２条３項８号所定の「商品……に関する広告，価格表若しくは取引書類……又はこれらを内容とする情報に標章を付して電磁的方法により提供する行為」には該当しない。
（３）乙５について
　ア　本件商標権者は，遅くとも，本件要証期間内である平成２９年３月１１日には，インターネット販売サイト「ｍｉｎｎｅ」において，自己が製作した作品である「ぐい呑み」の写真を掲載するとともに，その作品名を「ポンタ織部グイ呑み」，在庫を「１」及び価格を「８８０円」と記載していたものと推認でき，当該商品「ぐい呑み」（茶碗）（以下「本件商品２」という。）に関する販売広告を内容とする情報に標章「ポンタ」を付して電磁的方法により提供していたものと認めることができる（乙３，５，甲３）。
　イ　しかしながら，甲３によれば，同サイトでは，本件商品２の販売価格が「８８０円」であるのに対し，その送料が「１０，０００円」となっていること，また，配送エリアも「地球」としか記載されておらず，この販売サイトが基本的に日本語で記載されており，日本国内の一般消費者等を対象としていることからすると，常識的にみて，本件商標権者が本件商品２を実際に販売するつもりで掲載していたものとは到底解されない。
　そうすると，本件商標権者は，本件商品２についても「業として」製作販売していたものとは認め難く，そうである以上，本件商品２は商標法上の商品とは認めることができない。
　ウ　したがって，たとえ，本件商品２に関する販売広告を内容とする情報に標章「ポンタ」を付して電磁的方法により提供していたとしても，当該行為は商標法２条３項８号所定の「商品……に関する広告，価格表若しくは取引書類……又はこれらを内容とする情報に標章を付して電磁的方法により提供する行為」には該当しない。
２　被請求人は，上記第３の２のとおり，本件商標に係る使用については，その主張立証を尽くしたと述べているから，上記のとおり，判断するほかない。
３　結語
　以上のとおりであるから，被請求人は，本件要証期間内において，商標権者，専用使用権者又は通常使用権者のいずれかがその請求に係る指定商品のいずれかについて，本件商標の使用をしていた事実を証明したものとは認められない。
　また，被請求人は，本件審判の請求に係る指定商品について本件商標の使用をしていないことについて正当な理由があることも明らかにしていない。
　したがって，本件商標の登録は，商標法５０条の規定により，その登録を取り消すべきものである。
　よって，結論のとおり審決する。